(57)【要約】【課題】刃体の折断作業を安全で容易かつ迅速にすると共に、折断片を安全かつ確実に収納及び回収・破棄できるカッターナイフを提供する。【解決手段】折断可能な帯状刃体を収納する収納溝を表面に有する握り用ケースが、連結分離可能に連結された先端側第１ケース半体１と基端側第２ケース半体２から成り、上記第２ケース半体２の基端面12ａに折断のときに上記帯状刃体３の先端を差込む一文字状差込口４を備えた、カッターナイフに於て、上記第１ケース半体１と第２ケース半体２の内の一方の裏面壁部に、奥側に拡大する湾曲蟻溝状雌部５を切欠形成し、他方の裏面側壁部には、長手方向から押込分離可能な一対の側縁湾曲凸部付の弾性突片６ａから成る係止雄部６を形成する。【選択図】図２
2008264009.tif 000002
【特許請求の範囲】
【請求項１】
折断可能な帯状刃体（３）を収納する収納溝を表面に有する握り用ケースが、連結分離可能に連結された先端側第１ケース半体（１）と基端側第２ケース半体（２）から成り、上記第２ケース半体（２）の基端面（12ａ）に折断のときに上記帯状刃体（３）の先端を差込む一文字状差込口（４）を備えた、カッターナイフに於て、
上記第１ケース半体（１）と第２ケース半体（２）の内の一方の裏面壁部に、奥側に拡大する湾曲蟻溝状雌部（５）を切欠形成し、他方の裏面側壁部には、長手方向から押込分離可能な一対の側縁湾曲凸部付の弾性突片（６ａ）から成る係止雄部（６）を形成したことを特徴とするカッターナイフ。
【請求項２】
上記第２ケース半体（２）は上記差込口（４）と連通して上記刃体（３）の折断片（３ａ）を収納可能な空間部（８）を有し、さらに、上記差込口（４）を覆うカバー部材（７）を上記第２ケース半体（２）の基端部（12）に左右水平軸心（Ｌ1 ）廻りに上下揺動可能として枢着されると共に、上記差込口（４）を覆うように上記カバー部材（７）を弾性部材（11）にて常時弾発付勢した請求項１記載のカッターナイフ。
【請求項３】
上記第２ケース半体（２）は先端部（13）に上記空間部（８）に連通して折断片（３ａ）を取り出し可能な取出口（９）を形成すると共に、該取出口（９）を開閉する揺動部材（10）を鉛直軸心（Ｌ2 ）廻りに設けた請求項２記載のカッターナイフ。
【発明の詳細な説明】
【技術分野】
【０００１】
本発明は、カッターナイフに関する。
【背景技術】
【０００２】
従来のカッターナイフは、摩耗や欠け等によって刃物の先端に不具合が発生した際に、刃先を折曲げて分断する（折断する）ことを容易にする破断溝を形成した帯状の刃体を有し、該刃体を、摺動可能に収納する収納溝を前面に形成した握り用ケースを有していた。（例えば、特許文献１参照）。さらに、ケースの基端部に取り外し自在に取着したキャップ部材を有し、該キャップ部に刃体を折曲げて分断するための一文字状の差込口を形成したものが知られている。
【０００３】
このような特許文献１記載のカッターナイフは、刃先に不具合が生じた際に、ペンチ等の工具で不具合の生じた刃先を掴み、折曲げる力を加えることで、不具合のある刃先を破断溝で分断し、新しい刃先を形成して不具合を解消していた。また、一文字状の口孔を有するキャップ部材を備えた従来のカッターナイフは、キャップ部材を握りケースから離脱させて、不具合の生じた刃先にキャップ部の一文字状の差込口を挿入して、折曲げる力を刃先の破断溝に加えることで、不具合の生じた刃先を分断して、新しい刃先を形成していた。    
【特許文献１】特開平１１−７６６３８号公報
【発明の開示】
【発明が解決しようとする課題】
【０００４】
しかし、刃先の摩耗や欠けは予測が困難であり、刃先を折断する（折曲げて分断する）工具（ペンチ等）を常備してカッターナイフを使用することは実用的でなく不便であった。また、折断用の差込口を有するキャップ部材を利用する方法では、キャップ部材が小さく掴みにくいために握りケースからの離脱が容易ではなかった。また、キャップ部材を持つ指が、破断部近傍となってしまうので、怪我をする危険性が高かった。また、折断された破片が落下等で紛失しやすく危険であった。さらに、折断片を探す手間に労力を費やし非能率的であった。また、折断片を破棄する際に直接折断片に触れるため指等を負傷する虞れがあった。
【０００５】
そこで、本発明は、刃体の折断作業を安全で容易かつ迅速にすると共に、折断片を安全かつ確実に収納・回収及び破棄できるカッターナイフの提供を目的とする。
【課題を解決するための手段】
【０００６】
そこで、本発明に係るカッターナイフは、折断可能な帯状刃体を収納する収納溝を表面に有する握り用ケースが、連結分離可能に連結された先端側第１ケース半体と基端側第２ケース半体から成り、上記第２ケース半体の基端面に折断のときに上記帯状刃体の先端を差込む一文字状差込口を備えた、カッターナイフに於て、上記第１ケース半体と第２ケース半体の内の一方の裏面壁部に、奥側に拡大する湾曲蟻溝状雌部を切欠形成し、他方の裏面側壁部には、長手方向から押込分離可能な一対の側縁湾曲凸部付の弾性突片から成る係止雄部を形成したものである。
【０００７】
上記第２ケース半体は上記差込口と連通して上記刃体の折断片を収納可能な空間部を有し、さらに、上記差込口を覆うカバー部材を上記第２ケース半体の基端部に左右水平軸心廻りに上下揺動可能として枢着されると共に、上記差込口を覆うように上記カバー部材を弾性部材にて常時弾発付勢したものである。
【０００８】
上記第２ケース半体は先端部に上記空間部に連通して折断片を取り出し可能な取出口を形成すると共に、該取出口を開閉する揺動部材を鉛直軸心廻りに設けたものである。
【発明の効果】
【０００９】
本発明のカッターナイフによれば、第１ケース半体と第２ケース半体の内の一方の裏面壁部に、奥側に拡大する湾曲蟻溝状雌部を切欠形成し、他方の裏面側壁部には、長手方向から押込分離可能な一対の側縁湾曲凸部付の弾性突片から成る係止雄部を形成しているので、第１ケースと第２ケースを適度の抵抗をもって分離及び連結ができる。そして、刃体を使用する切断作業（紙や紐等の切断作業）の際に不用意に分離せず安全に使用できる。また、差込口と連通して刃体の折断片を収納可能な空間部を有するので、折断片を確実に回収・収納できる。また、カバー部材を弾性部材にて常時弾発付勢しているので、差込口から折断片が抜け落ちず安全で確実に収納できる。また、空間部に連通して折断片を取り出し可能な取出口を形成しているので、折断片を容易に破棄できる。また、取出口を開閉する揺動部材を設けているので、確実に折断片を収納できる。
【発明を実施するための最良の形態】
【００１０】
以下、実施の形態を示す図面に基づき本発明を詳説する。
図１は本発明のカッターナイフの実施の一形態を示す平面図であり、図２はその底面図であり、図３はその一部断面側面図である。また、図４はその要部分解斜視図である。
図１乃至図４に於て、３は、従来の、摩耗や欠け等によって刃物の先端に不具合が発生した際に刃先を折曲げて分断する（折断する）ことを容易にする破断溝を所定の間隔で形成した刃体であって、刃体３を保持して長手方向に摺動操作又は固定操作が可能な操作部19を備えている。さらに、刃体３を収納する収納溝を表面に有する樹脂製の握り用ケース部を短手方向に略２等分したように形成した、先端側第１ケース半体１と基端側第２ケース半体２から成っている。つまり、第１ケース半体１と第２ケース半体の連結によって、握りケースを形成している。当然、第１・２ケース半体１，２の両方に各々収納溝を有している。
【００１１】
まず、第１ケース半体１は、裏面（底面）壁部に、第１ケース半体１と第２ケース半体２が連結する際に当接する連結面15から第１ケース半体１の奥側（平面視先端側）に拡大する湾曲蟻溝状（蛸の頭状）の雌部５を切欠形成している。言いかえると、長手方向に形成した長円にくびれ部５ａを形成した平面視瓢箪の基端部半体のような形状を切欠形成している。そして、刃体３を摺動可能に保持する金属製のガイド部材14を表面の収納溝に一体状に長手方向に突設して設けている。
【００１２】
また、第２ケース半体２は、先端部13の第１ケース半体１と連結した際に当接する先端面13ａに、第１ケース半体１に形成した雌部５に長手方向から押込分離可能な係止雄部６を裏面壁部寄りに長手方向へ突出して設けている。この雄部６は、一対の弾性突片６ａ，６ａから成る。弾性突片６ａ，６ａは、短手外側方向に湾曲して突出した凸部を有している。言いかえると、雄部６は、第１ケース半体１に形成した雌部５の雄型に、弾性効果をもたせる帯状のスリットを長手方向に形成して、一対の弾性突片６ａ，６ａを成形したものである。ここで、雄部６の大きさは雌部５の雄型よりも僅かに大きく形成している。
【００１３】
さらに、第２ケース半体２は、裏面（底面）壁部に空間部８を設けている。この空間部８は、第２ケース半体２の基端部12の基端面12ａに刃体３を折曲げて分断（折断）可能に形成した一文字状の差込口４と連通している。さらに、空間部８は、刃体３を折断した破片である折断片３ａを収納可能な大きさに形成している。そして、第２ケース半体２の先端部13の先端面13ａに空間部８と連通し、折断片３ａを充分に取り出し可能な大きさの取出口９を形成している。この取出口９は、雄部６よりも表面壁側に寄って形成されている。また、第１ケース半体１に一体状に設けられたガイド部材14を挿入可能なガイド溝16を表面側にある収納溝の側面に設けている。  
【００１４】
また、第２ケース半体２の基端部12には、コの字状のカバー部材７が、図１及び図２に示す左右水平軸心Ｌ1 を中心とし、第２ケース半体２の基端部12の側面壁を挟むようにして、上下揺動可能に枢着されている。そして、カバー部材７は差込口４を覆っている。さらに、差込口４を覆う状態でカバー部材７を弾性部材11にて常時弾発付勢している。ここで、実施の一形態では、弾性部材11は、ねじりばねであり、ねじり中心が水平軸心Ｌ1 と同心状になるように配置して、一方端をカバー部材７に係止し、他方端を基端部12に係止している。また、カバー部材７の基端側の外側壁には断面視円弧状の係止突出部７ａを形成している。
【００１５】
また、第２ケース半体２の先端部13の先端面13ａに形成された取出口９には、取出口９に挿入して施蓋可能なブロック状の揺動部材10を、垂直軸心Ｌ2 廻りに枢着し、揺動によって取出口９を開閉するように設けている。
【００１６】
ここで、揺動部材10について図を用いて説明する。図６は、第２ケース半体２の先端部13の要部拡大斜視図であり、図７は、第２ケース半体２の先端部13の要部拡大底面図であり、（ａ）は、揺動部材10が閉じた状態であり、（ｂ）は、揺動部材10が開いている状態である。
【００１７】
この揺動部材10は、施蓋状態（取出口９を閉じた状態）で、先端方向（組立状態で第１ケース半体１方向）に突出する爪状係止部10ｃを有している。また、揺動部材10の枢着部側の一方の側面10ａと、一方の側面10ａに対面する取出口９の一方の内壁９ａが当接して、揺動部材10が空間部８に入り込む方向への揺動を規制するように一方の側面10ａを形成している。そして、揺動部材10の一方の側面10ａとは反対の他方の側面10ｂを曲面状に形成している。
また、施蓋状態の揺動部材10の他方の側面10ｂに対面する取出口９の他方の内壁９ｂに、先端面13ａに寄って弾性変形可能な曲面状係止部９ｄを僅かに突出させて設けている。
【００１８】
また、第１ケース半体１には、第２ケース半体２と連結した際に揺動部材10の爪状係止部10ｃに対応する、爪状係止部10ｃが収納可能な凹溝18（図３参照）を連結面15に設けている。また、第１・２ケース半体１，２の側壁に滑り止めとなる凹凸状のリブ17を複数形成している。
【００１９】
なお、本発明は、設計変更可能であって、例えば、雌部５を第２ケース半体２に、雄部６を第１ケース半体１に形成して第１・２ケース１，２を連結分離可能に構成しても良い。また、第２ケース半体２の取出口９を裏面側壁部寄りに設け、雄部６を取出口９よりも表面壁側（ガイド溝16側）寄りに配設しても良い。また、弾性部材11は、ねじりばね以外の板ばねや渦巻きばね等を使用するも自由である。また、揺動部材10は、観音扉状に設けても良い。
【００２０】
上述した本発明のカッターナイフの使用方法（作用）について説明する。
まず、刃体３が摩耗や欠け等により切れ味が低下した場合、刃体３を折断して、新しい刃先を形成する必要がある。そこで、本発明に係るカッターナイフでは、まず、従来の操作部19を操作して、刃体３をガイド部材14に固定し、連結された状態の第１ケース半体１と第２ケース半体２を各々手に取り引く。すると、雄部６の弾性突片６ａが雌部５のくびれ部５ａに沿ってスリットのある内側に寄り、弾性突片６ａの側縁湾曲凸部がくびれ部５ａの間隙を通過して、第１ケース半体１と、第２ケース半体２と、に分離する。
【００２１】
そして、操作部19を操作して、第１ケース半体１の先端部のガイド部材14から刃体３を突出させて固定する。その後、カバー部材７を上方に揺動して、差込口４を露出させる。このときの状態を図５を用いて説明する。図５は、第２ケース半体２の基端部12の要部拡大説明図であって、（ａ）は、カバー部材７の通常の状態を説明する斜視図であり、（ｂ）は、カバー部材７を指で上方へ揺動させて、差込口４を露出させた状態を説明する説明図である。つまり、通常の状態では、カバー部材７は弾性部材11によって常時弾発付勢され、差込口４を覆った状態となっている。そこで、カバー部材７の係止突出部７ａに第２ケース半体２を持っている手の指を係止させて上方に揺動する。すると図５（ｂ）に示したように差込口４が露出した状態となる。
【００２２】
そこで、切れ味が低下した刃体３の先端を差込口４に挿入していく。このときの状態を図８に示す（指等は省略）。そして、差込口４と折断溝を略一致させて、第１ケース半体１と第２ケース半体２とで刃体３を折曲げて切断する。すると、折曲げられて切断された折断片３ａは、上述した空間部８に吸い込まれるように収納される。そして、カバー部材７の係止突出部７ａから指を離す。すると、カバー部材７は弾性部材11によって下方へ弾発付勢され、自動で差込口４を即座に覆い隠す。以上で、刃体３を折断して、新しい刃先を形成する作業を終了する。
【００２３】
そして、通常に使用（紙や紐等の切断）するために、第１ケース半体１と第２ケース半体２を再び、連結させる。この際、雌部５のくびれ部５ａに沿って、雄部６の弾性突片６ａがスリット側に寄り、雌部５のくびれ部５ａの間隙を挿通し、雄部６が雌部５に挿入される。さらに、この連結状態では、雄部６の一対の弾性突片６ａ，６ａは、水平方向左右両側へ開くように雌部５を常時弾発付勢して、連結状態を保持している。
【００２４】
また、空間部８に収納された折断片３ａを破棄する場合は、第１ケース半体１と第２ケース半体２を分離させる。そして、第２ケース半体２を握った状態で指を爪状係止部10ｃに係止させ、揺動部材10を鉛直軸心Ｌ2 廻りに揺動させて、取出口９を開口させる。この際、揺動部材10の他方の側面10ｂは、曲面状係止部９ｄに当接するが、揺動部材10の開く方向へ揺動する力によって僅かに弾性変形して、接触抵抗はあるものの曲面状係止部９ｄを乗り上げるように揺動部材10は揺動して取出口９を開口する。そして、折断片３ａを所定の場所に廃棄する。廃棄後、揺動部材10を閉じる方向に揺動させる。すると、揺動部材10の他方の側面10ｂは曲面状係止部９ｄに当接するが、またも弾性変形して、曲面状係止部９ｄを乗り上げるように揺動部材10は揺動して取出口９を閉口する。また、揺動部材10が閉じた状態では、揺動部材10の一方の側面10ａが取出口９の一方の内壁９ａに当接して揺動を規制しているので、揺動部材10は空間部８に施蓋状態からさらに空間部８へ入り込む方向へ揺動しない。また、揺動部材10に外力を加えなければ、揺動部材10の他方の側面10ｂが曲面状係止部９ｄに当接して、不用意に揺動部材10は開かない。
【００２５】
以上のように、本発明は、折断可能な帯状刃体３を収納する収納溝を表面に有する握り用ケースが、連結分離可能に連結された先端側第１ケース半体１と基端側第２ケース半体２から成り、第２ケース半体２の基端面12ａに折断のときに帯状刃体３の先端を差込む一文字状差込口４を備えた、カッターナイフに於て、第１ケース半体１と第２ケース半体２の内の一方の裏面壁部に、奥側に拡大する湾曲蟻溝状雌部５を切欠形成し、他方の裏面側壁部には、長手方向から押込分離可能な一対の側縁湾曲凸部付の弾性突片６ａから成る係止雄部６を形成しているので、確実に第１ケース半体１と第２ケース半体２を連結できる。また、雄部６は一対の弾性突片６ａ，６ａから成るので、雌部５に対して連結状態で常時弾発付勢して、確実に連結状態を保持できる。また、弾性突片６ａの側縁を湾曲状に形成しているので、雌部５との抜き差しの際に接触抵抗（摩擦抵抗）を適度な大きさとして連結・分離作業ができる。
【００２６】
また、第２ケース半体２は差込口４と連通して刃体３の折断片３ａを収納可能な空間部８を有し、さらに、差込口４を覆うカバー部材７を第２ケース半体２の基端部12に左右水平軸心Ｌ1 廻りに上下揺動可能として枢着されると共に、差込口４を覆うようにカバー部材７を弾性部材11にて常時弾発付勢しているので、折断片３ａを空間部８に収納した際に、差込口４から折断片３ａが抜け落ちるのを防止できる。つまり、ロープ等の切断等で顔よりも高い位置を切断するときに、折断片３ａが抜け落ちて使用者が負傷する危険を防止できる。また、持ち運びの際に不用意に折断片３ａが落下せず、折断片３ａによって第三者が負傷する危険を防止できる。さらに、折断作業後に、弾性部材11によって自動でカバー部材７が差込口４を覆うので、迅速で確実に差込口４を覆うことができる。また、閉じ忘れの心配がなく安全である。また、第２ケース半体２を片手で持った状態で、カバー部材７の揺動操作を指だけで容易におこなえる。さらに、差込口４から離れた位置でカバー部材７を保持し折断作業ができるので、指等を損傷する危険を防止できる。さらに、カバー部材７に係止突出部７ａを設けることで、より、片手操作が容易になる。
【００２７】
また、第２ケース半体２は先端部13に空間部８に連通して折断片３ａを取り出し可能な取出口９を形成すると共に、該取出口９を開閉する揺動部材10を鉛直軸心Ｌ2 廻りに設けているので、折断片３ａを容易に取り出せる。また、揺動部材10を取出口９に設けているので、不用意に取出口９から折断片３ａが落下するのを防ぐことができる。さらに、折断片３ａの収納から破棄まで、折断片３ａに使用者が直接触れることがなく、安全に収納・回収及び破棄の作業がおこなえる。また、揺動部材10に爪状係止部10ｃを設けることで、より容易に片手で揺動部材10の開閉がおこなえる。また、取出口９に曲面状係止部９ｄを設けることで、より不用意に取出口９から折断片３ａが落下するのを防ぐことができる。
【図面の簡単な説明】
【００２８】
【図１】本発明に係るカッターナイフの実施の一形態を示す平面図である。
【図２】本発明に係るカッターナイフの実施の一形態を示す底面図である。
【図３】本発明に係るカッターナイフの実施の一形態を示す一部断面側面図である。
【図４】本発明に係るカッターナイフの実施の一形態を示す要部分解斜視図である。
【図５】カバー部材の説明図であり、（ａ）はカバー部材が差込口を覆った状態の要部拡大斜視説明図であり、（ｂ）はカバー部材が揺動して差込口が露出した状態の要部拡大説明図である。
【図６】要部拡大斜視図である。
【図７】要部拡大説明図であり、（ａ）は揺動部材が閉じた状態の要部拡大説明図であり、（ｂ）は揺動部材が開いた状態の要部拡大説明図である。
【図８】使用状態を示す説明図である。
【符号の説明】
【００２９】
１  第１ケース半体
２  第２ケース半体
３  刃体
３ａ  折断片
４  差込口
５  雌部
６  雄部
６ａ  弾性突片
７  カバー部材
８  空間部
９  取出口
10  揺動部材
11  弾性部材
12  基端部
12ａ  基端面
13  先端部
Ｌ1   水平軸心
Ｌ2   垂直軸心
【図１】
2008264009.tif 000003
【図２】
2008264009.tif 000004
【図３】
2008264009.tif 000005
【図４】
2008264009.tif 000006
【図５】
2008264009.tif 000007
【図６】
2008264009.tif 000008
【図７】
2008264009.tif 000009
【図８】
2008264009.tif 000010